(57)【要約】  【課題】従来のものと比較してより斬新で多機能なホワイトボード、及びこのようなホワイトボードを利用したホワイトボードシステムを実現する。  【解決手段】正面視において円形状をなし、正面及び背面の少なくとも一方に筆記面を有したホワイトボードと、このホワイトボードの一部を挿入可能なスリットを有する家具であるデスクとを備えてなり、前記デスクによって前記スリットに挿入された前記ホワイトボードを起立姿勢に保持し得るように構成されているホワイトボードシステムを採用する。【選択図】図２
2018047576.tif 000002
【特許請求の範囲】
【請求項１】
正面視において円形状をなし、正面及び背面の少なくとも一方に筆記面を有したホワイトボード。
【請求項２】
正面に筆記面を有し、背面に化粧面を有した請求項１記載のホワイトボード。
【請求項３】
外周面における厚み方向中間に円周方向に連続する環状溝を備えている請求項１又は２記載のホワイトボード。
【請求項４】
請求項１、２又は３記載のホワイトボードと、このホワイトボードの一部を挿入可能なスリットを有する家具とを備えてなり、前記家具によって前記スリットに挿入された前記ホワイトボードを起立姿勢に保持し得るように構成されているホワイトボードシステム。
【請求項５】
請求項１、２又は３記載のホワイトボードと、このホワイトボードを転動可能に支持し案内するレールとを具備したホワイトボードシステム。
【請求項６】
請求項３記載のホワイトボードと、このホワイトボードを転動可能に支持し案内するレールとを具備してなり、
前記レールが、前記ホワイトボードの一部を挿入可能な凹溝と、この凹溝の底面における溝幅方向中間に設けられた突条とを備えたものであり、この突条に前記ホワイトボードの環状溝を転動可能に係り合わせた状態で、前記ホワイトボードの表裏両面と前記凹溝の内側面との間に隙間が形成されるように構成されているホワイトボードシステム。
【請求項７】
請求項１、２又は３記載のホワイトボードと、このホワイトボードを下側から自転可能に支持する支持台とを具備したホワイトボードシステム。
【発明の詳細な説明】
【技術分野】
【０００１】
本発明は、オフィス等で好適に使用されるホワイトボード及びそのホワイトボードを主体に構成されたホワイトボードシステムに関するものである。
【背景技術】
【０００２】
従来、オフィス等で使用されるホワイトボードは、その筆記面に記述される文字や図形を通して複数人が意思の疎通を図ることができるという機能を備えており、多くのオフィスワーカ等が一か所に集って刺激しあい融和するための重要なツールの一つとなっている。
【０００３】
ところで、従来のホワイトボードは、正面視長方形状のものであり、専用の自走可能なフレームに反転可能に支持されて使用されているのが一般的である（例えば、非特許文献１を参照）。かかるホワイトボードは歴史も古く使い方も確立され重宝されてはいるが、働き方が多様化する近時のオフィス等においては、より斬新で多機能なホワイトボードの出現も望まれている。
【先行技術文献】
【非特許文献】
【０００４】
【非特許文献１】コクヨ総合カタログ２０１６年版ファニチャー編，コクヨ株式会社，平成２７年１２月，ｐ．４２４
【発明の概要】
【発明が解決しようとする課題】
【０００５】
本発明は、以上のような要望に応えることができるホワイトボード及びそのホワイトボードを利用したホワイトボードシステムを提供することを目的としている。
【課題を解決するための手段】
【０００６】
請求項１記載のホワイトボードは、正面視において円形状をなし、正面及び背面の少なくとも一方に筆記面を有したものである。
【０００７】
本発明において、「円形状」とは、真円形状だけでなく、真円形に近い形状、例えば若干楕円気味の円形状や、頂点の数が多い多角形状等が含まれるものであり、要するに転動可能な形状であればどのようなものであってもよい。
【０００８】
請求項２記載のホワイトボードは、請求項１に係る構成において、正面に筆記面を有し、背面に化粧面を有したものである。
【０００９】
請求項３記載のホワイトボードは、請求項１又は２に係る構成において、外周面における厚み方向中間に円周方向に連続する環状溝を備えている。
【００１０】
請求項４記載のホワイトボードシステムは、請求項１、２又は３記載のホワイトボードと、このホワイトボードの一部を挿入可能なスリットを有する家具とを備えてなり、前記家具によって前記スリットに挿入された前記ホワイトボードを起立姿勢に保持し得るように構成されているものである。
【００１１】
請求項５記載のホワイトボードシステムは、請求項１、２又は３記載のホワイトボードと、このホワイトボードを転動可能に支持し案内するレールとを具備したものである。
【００１２】
請求項６記載のホワイトボードシステムは、請求項３記載のホワイトボードと、このホワイトボードを転動可能に支持し案内するレールとを具備してなり、前記レールが、前記ホワイトボードの一部を挿入可能な凹溝と、この凹溝の底面における溝幅方向中間に設けられた突条とを備えたものであり、この突条に前記ホワイトボードの環状溝を転動可能に係り合わせた状態で、前記ホワイトボードの表裏両面と前記凹溝の内側面との間に隙間が形成されるように構成されているものである。
【００１３】
請求項７記載のホワイトボードシステムは、請求項１、２又は３記載のホワイトボードと、このホワイトボードを下側から自転可能に支持する支持台とを具備したものである。
【発明の効果】
【００１４】
本発明によれば、従来のものと比較してより斬新で多機能なホワイトボード、及びこのようなホワイトボードを利用したホワイトボードシステムを実現することができる。
【図面の簡単な説明】
【００１５】
【図１】本発明の一実施形態を概略的に示す平面図。
【図２】同実施形態に係る第１のホワイトボードシステムを示す斜視図。
【図３】同実施形態に係る第１のホワイトボードシステムを示す背面側斜視図。
【図４】同実施形態に係るホワイトボードを示す正面図。
【図５】同実施形態に係るホワイトボードを示す平面図。
【図６】図４におけるＸ−Ｘ断面図。
【図７】同実施形態に係るホワイトボード及びレールを示す側断面図。
【図８】同実施形態に係るホワイトボード及びレールを示す側断面図。
【図９】第１のホワイトボードシステムのデスクを示す正面図。
【図１０】同デスクを示す平面図。
【図１１】同デスクを示す右側面図。
【図１２】図９におけるＡ−Ａ断面図。
【図１３】図９におけるＢ−Ｂ断面図。
【図１４】図９におけるＣ−Ｃ断面図。
【図１５】同実施形態に係る第２のホワイトボードシステムを示す斜視図。
【図１６】同実施形態に係る第２のホワイトボードシステムを示す背面側斜視図。
【図１７】第２のホワイトボードシステムのデスクを示す正面図。
【図１８】同デスクを示す平面図。
【図１９】同デスクを示す左側面図。
【図２０】図１５におけるＤ−Ｄ断面図。
【図２１】図１６におけるＥ―Ｅ断面図。
【図２２】図１５におけるＦ−Ｆ断面図。
【図２３】同実施形態に係る第３のホワイトボードシステムを示す斜視図。
【図２４】同実施形態に係る第３のホワイトボードシステムを示す背面側斜視図。
【図２５】第３のホワイトボードシステムのデスクを示す正面図。
【図２６】同デスクを示す平面図。
【図２７】同デスクを示す左側面図。
【図２８】図２５におけるＧ−Ｇ断面図。
【図２９】図２５におけるＨ−Ｈ断面図。
【図３０】図２５におけるＩ−Ｉ断面図。
【図３１】同実施形態に係る第４のホワイトボードシステムを示す斜視図。
【図３２】同実施形態に係る第４のホワイトボードシステムを示す背面側斜視図。
【図３３】第４のホワイトボードシステムのデスクを示す正面図。
【図３４】同デスクを示す平面図。
【図３５】同デスクを示す左側面図。
【図３６】同デスクを示す右側面図。
【図３７】図３３におけるＪ−Ｊ断面図。
【図３８】図３３におけるＫ−Ｋ断面図。
【図３９】同実施形態に係る第５のホワイトボードシステムを示す斜視図。
【図４０】同実施形態に係る第５のホワイトボードシステムを示す背面側斜視図。
【図４１】第５のホワイトボードシステムのデスクを示す正面図。
【図４２】同デスクを示す平面図。
【図４３】同デスクを示す右側面図。
【図４４】図４１におけるＬ−Ｌ断面図。
【図４５】図４１におけるＭ−Ｍ断面図。
【図４６】図４１におけるＮ−Ｎ断面図。
【図４７】同実施形態に係る第６のホワイトボードシステムを示す斜視図。
【図４８】同実施形態に係る第６のホワイトボードシステムを示す背面側斜視図。
【図４９】第６のホワイトボードシステムのハイデスクを示す正面図。
【図５０】同ハイデスクを示す平面図。
【図５１】同ハイデスクを示す左側面図。
【図５２】図４９におけるＯ−Ｏ断面図。
【図５３】図５０におけるＰ−Ｐ断面図。
【図５４】図４９におけるＱ−Ｑ断面図。
【図５５】同実施形態に係る第７のホワイトボードシステムを示す斜視図。
【図５６】同実施形態に係る第７のホワイトボードシステムを示す背面側斜視図。
【図５７】第７のホワイトボードシステムのハイデスクを示す正面図。
【図５８】同ハイデスクを示す平面図。
【図５９】同ハイデスクを示す右側面図。
【図６０】図４９におけるＲ−Ｒ断面図。
【図６１】図５０におけるＳ−Ｓ断面図。
【図６２】同実施形態に係る第８のホワイトボードシステムを示す斜視図。
【図６３】第８のホワイトボードシステムのベンチを示す正面図。
【図６４】同ベンチを示す平面図。
【図６５】同ベンチを示す斜視図。
【図６６】第８のホワイトボードシステムのベンチを示す正面図。
【図６７】同ベンチを示す平面図。
【図６８】同ベンチを示す斜視図。
【図６９】第８のホワイトボードシステムのベンチを示す斜視図。
【図７０】同ベンチを示す正面図。
【図７１】同ベンチを示す平面図。
【図７２】同実施形態に係る第９のホワイトボードシステムを示す斜視図。
【発明を実施するための形態】
【００１６】
以下、本発明の一実施形態について、図面を参照しつつ説明する。
【００１７】
本実施形態は、オフィス空間に、第１〜第９のホワイトボードシステムＳ１〜Ｓ９を配した場合のものであり、図１は、そのオフィス空間を概略的に示す平面図である。
【００１８】
第１のホワイトボードシステムＳ１は、図２及び図３に示すように、大径のホワイトボードＡ１１と、小径のホワイトボードＡ１２と、これらのホワイトボードＡ１１、Ａ１２を起立姿勢に保持する家具であるデスクＡ２と、このデスクＡ２に前記大径のホワイトボードＡ１１を案内し嵌合させるためのレールＡ３とを備えている。
【００１９】
前記ホワイトボードＡ１１、Ａ１２は、図２〜図４に示すように、正面視において円形状をなす。また、正面に筆記面Ａ１１ａ、Ａ１２ａを有し、背面に化粧面Ａ１１ｂ、Ａ１２ｂを有している。また、図５〜図８に示すように、このホワイトボードＡ１１、Ａ１２の外周面Ａ１１ｃ、Ａ１２ｃにおける厚み方向中間に円周方向に連続する環状溝Ａ１１ｘ、Ａ１２ｘを備えている。詳述すれば、前記大径のホワイトボードＡ１１は、図４〜図８に示すように、円形状の正面板Ａ１１１と、円形状の背面板Ａ１１２との間にハニカムペーパーにより作られた芯材Ａ１１３を介在させたものであり、この芯材Ａ１１３を前記正面板Ａ１１１及び背面板Ａ１１２よりも小径なものにすることにより、前記環状溝Ａ１１ｘを形成している。前記正面板Ａ１１１は、面板本体Ａ１１４の外面に筆記面Ａ１１ａを形成するホワイトボード用シート材Ａ１１５を添着したものである。前記背面板Ａ１１２は、面板本体Ａ１１６の外面に化粧面Ａ１１ｂを形成するための生地等の外装材Ａ１１７を添着したものである。なお、前記正面板Ａ１１１、背面板Ａ１１２及び芯材Ａ１１３の外周部には、図７及び図８に示すように、前記環状溝Ａ１１ｘの内壁を構成する例えば板金製のフレーム材Ａ１１８が設けてある。前記小径のホワイトボードＡ１２は、前記大径のホワイトボードＡ１１に準じた構成をなすもので、その外周には前記大径のホワイトボードＡ１１ｘの環状溝と同一の幅寸法及び深さ寸法を備えた環状溝Ａ１２ｘが形成されている。
【００２０】
前記デスクＡ２は、図９〜図１４に示すように、前後両側縁を使用端とし、各使用端に椅子Ｃｈを対面配置して用いられるもので、以下の当該デスクＡ２に関する説明では、一方すなわちホワイトボードＡ１１、Ａ１２の筆記面Ａ１１ａ、Ａ１２ａが向く側の使用端に着座した着座者の左右を当該デスクＡ２の左右と称する。このデスクＡ２は、左右方向に伸びる平面視長方形状の天板Ａ２１と、この天板Ａ２１の左右両側端縁を支持する壁状の脚体Ａ２２と、これら脚体Ａ２２の内側面間に位置させて前記天板Ａ２１の下面に設けられた幕板Ａ２３とを具備してなるものである。このデスクＡ２は、前記幕板Ａ２３により前後に隣接する第１及び第２の領域Ａ２ａ、Ａ２ｂに区画されており、第１の領域Ａ２ａに上向きスリットＡｓ１及び右向きスリットＡｓ２が設けられているとともに、第２の領域Ａ２ｂに左向きスリットＡｓ３が形成されている。前記上向きスリットＡｓ１は、前記天板Ａ２１に設けられたもので、左右方向に伸びる状態で天板Ａ２１を上下に貫通している。この上向きスリットＡｓ１の開口幅は前記ホワイトボードＡ１１、Ａ１２の厚み寸法に対応させた一定値に設定されたもので、この上向きスリットＡｓ１に前記小径のホワイトボードＡ１２の下端部を嵌合させることができるようになっている。すなわち、この上向きスリットＡｓ１により前記小径のホワイトボードＡ１２を起立状態で保持しうるようにしてある。天板Ａ２１の下面における前記上向きスリットＡｓ１の両側には補強用のフレームＡｆ１が設けられている。なお、この実施形態においては、前記スリットＡｓ１の開口幅は、例えば８０ｍｍという一定値に設定されている。前記右向きスリットＡｓ２は、右側の前記脚体Ａ２２に貫設されたもので、上下方向に伸びる形態をなしている。この右向きスリットＡｓ２の開口幅も、前記一定値に設定されている。この右向きスリットＡｓ２の上下方向寸法は、自転車Ｂｃの前車輪を嵌入させて当該自転車Ｂｃを自立させておくことが可能な寸法、例えば６４５ｍｍ程度に設定されている。前記右側の脚体Ａ２２の内面における前記右向きスリットＡｓ２の両側には補強用のフレームＡｆ２が設けられている。前記左向きスリットＡｓ３は、左側の前記脚体Ａ２２及び前記天板Ａ２１に貫設されたもので、上下方向に伸びる形態をなしている。この左向きスリットＡｓ３の開口幅も、前記一定値に設定されている。この左向きスリットＡｓ３は、前記左側の脚体Ａ２２の下端近傍部から上端にわたって形成された鉛直部Ａｓ３１と、この鉛直部Ａｓ３１に連続させて前記天板Ａ２２の左端部に形成された水平部Ａｓ３２とを備えたものである。前記左向きスリットＡｓ３には、前記大径のホワイトボードＡ１１の右端部を嵌合させることができるようになっている。すなわち、この左向きスリットＡｓ３により前記大径のホワイトボードＡ１１を起立状態で保持しうるようにしてある。前記左側の脚体Ａ２２の内面及び前記天板Ａ２１の下面における前記左向きスリットＡｓ３の両側には補強用のフレームＡｆ３が設けられている。
【００２１】
前記レールＡ３は、図７及び図８に示すように、前記オフィス空間の床面Ｆに設けられたもので、このレールＡ３に沿って前記ホワイトボードＡ１１を転動させるようになっている。この実施形態では、このレールＡ３に前記左向きスリットＡｓ３を対応させて前記デスクＡ２を床面上に配置しており、このレールＡ３に案内された大径のホワイトボードＡ１１を前記左向きスリットＡｓ３に係脱させることができるようになっている。このレールＡ３は、前記ホワイトボードＡ１１の一部を挿入可能な凹溝Ａ３１と、この凹溝Ａ３１の底面における溝幅方向中間に設けられた突条Ａ３２とを備えたものであり、この突条Ａ３２に前記ホワイトボードＡ１１の環状溝Ａ１１ｘを転動可能に係り合わせた状態で、前記ホワイトボードＡ１１の表裏両面Ａ１１ａ、Ａ１１ｂと前記凹溝Ａ３１の内側面Ａ３１ａとの間に隙間ＳＰが形成されるように構成されている。
【００２２】
第２のホワイトボードシステムＳ２は、図１５及び図１６に示すように、ホワイトボードＢ１と、前記ホワイトボードＢ１を起立姿勢に保持する家具であるデスクＢ２と、このデスクＢ２に前記ホワイトボードＢ１を案内し嵌合させるためのレールＢ３とを備えている。
【００２３】
前記ホワイトボードＢ１は、前述した第１のホワイトボードシステムＳ１におけるホワイトボードＡ１１、Ａ１２に準じた構成をなすものである。すなわち、正面に筆記面Ｂ１ａを有し、背面に化粧面Ｂ１ｂを有しているとともに、その外周面Ｂ１ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｂ１ｘが形成されている。
【００２４】
前記デスクＢ２は、図１７〜図２２に示すように、前後両側縁を使用端とし、各使用端に椅子Ｃｈを対面配置して用いられるもので、以下の当該デスクに関する説明では、一方の使用端に着座した着座者の左右、換言すれば図１７における左右を当該デスクの左右と称する。このデスクは、左右方向に伸びる平面視長方形状の天板Ｂ２１と、この天板Ｂ２１の右側端縁を支持する前後対をなす棒状の脚体Ｂ２２１と、前記天板Ｂ２１の左側端縁側を支持する前後対をなす壁状の脚体Ｂ２２２と、前記右側の棒状Ｂ２２１の脚体間に架設された右側の補強壁Ｂ２３１と、前記左側の壁状の脚体Ｂ２２２間に架設された左側の補強壁Ｂ２３２とを具備してなるものである。このデスクＢ２には、スリットＢｓ１が設けられている。前記スリットＢｓ１は、一方の前記壁状の脚体Ｂ２２２の下端近傍部から上端にわたって形成された第１の鉛直部Ｂｓ１１と、前記第１の鉛直部Ｂｓ１１に連続させて前記天板Ｂ２１に形成された前後方向に延びる水平部Ｂｓ１２と、この水平部Ｂｓ１２に連続させて他方の前記壁状の壁体Ｂ２２２の上部に形成された第２の鉛直部Ｂｓ１３とを備えたものである。このスリットＢｓ１の開口幅は前記ホワイトボードＢ１の厚み寸法に対応させた一定値に設定されたもので、このスリットＢｓ１に前記ホワイトボードＢ１の下端部を嵌合させ、このホワイトボードＢ１を起立状態で保持しうるようにしてある。前記壁状の脚体Ｂ２２２の内面及び前記天板Ｂ２１の下面における前記スリットＢｓ１の両側には補強用のフレームＢｆ１が設けられている。
【００２５】
前記レールＢ３は、前述した第１のデスクシステムＳ１におけるレールＡ３と同様に、前記オフィス空間の床面Ｆに設けられたもので、前記レールＡ３と同一の構成をなしており、このレールＢ３に沿って前記ホワイトボードＢ１を転動させるようになっている。前記デスクＢ２は、前記スリットＢｓ１をこのレールＢ３に対応させて床面上に設置されている。
【００２６】
第３のホワイトボードシステムＳ３は、図２３及び図２４に示すように、大径及び小径のホワイトボードＣ１１、Ｃ１２と、前記ホワイトボードＣ１１、Ｃ１２を起立姿勢に保持する家具であるデスクＣ２と、このデスクＣ２に前記ホワイトボードＣ１１、Ｃ１２を案内し嵌合させるためのレールＣ３とを備えている。
【００２７】
前記大径及び小径のホワイトボードＣ１１、Ｃ１２は、いずれも前述した第１のホワイトボードシステムＳ１におけるホワイトボードＡ１１、Ａ１２に準じた構成をなすものである。すなわち、正面に筆記面Ｃ１１ａ、Ｃ１２ａを有し、背面に化粧面Ｃ１１ｂ、Ｃ１２ｂを有しているとともに、その外周面Ｃ１１ｃ、Ｃ１２ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｃ１１ｘ、Ｃ１２ｘが形成されている。
【００２８】
前記デスクＣ２は、図２５〜図３０に示すように、前後両側縁を使用端とし、各使用端に椅子Ｃｈを対面配置して用いられるもので、以下の当該デスクＣ２に関する説明では、一方の使用端すなわち前記ホワイトボードＣ１１、Ｃ１２の筆記面Ｃ１１ａ、Ｃ１１ｂが向く側に着座した着座者の左右を当該デスクＣ２の左右と称する。このデスクＣ２は、平面視四角形状の天板Ｃ２１と、この天板Ｃ２１の左右両側端縁を支持する壁状の脚体Ｃ２２と、これら脚体Ｃ２２の内側面間に位置させて前記天板Ｃ２１の下面に設けられた前後対をなす幕板Ｃ２３とを具備してなるものである。また、このデスクＣ２には、上向きスリットＣｓ１及び左向きスリットＣｓ２が設けられている。前記上向きスリットＣｓ１は、前記天板Ｃ２１の前後方向中央、換言すれば前記対をなす幕板Ｃ２３の間に対応する部位に設けられたもので、左右方向に伸びる状態で天板Ｃ２１を上下に貫通している。この上向きスリットＣｓ１の開口幅は前記ホワイトボードＣ１１、Ｃ１２の厚み寸法に対応させた一定値に設定されたもので、この上向きスリットＣｓ１に前記小径のホワイトボードＣ１２の下端部を嵌合させることができるようになっている。すなわち、この上向きスリットＣｓ１により前記小径のホワイトボードＣ１２を起立状態で保持しうるようにしてある。天板Ｃ２１の下面における前記上向きスリットＣｓ１の両側には補強用のフレームＣｆ１が設けられている。前記左向きスリットＣｓ２は、左側の前記脚体Ｃ２２及び前記天板Ｃ２１における前記上向きスリットＣｓ１の左方に貫設されたもので、上下方向に伸びる形態をなしている。この左向きスリットＣｓ２の開口幅も、前記一定値に設定されている。この左向きスリットＣｓ２は、前記左側の脚体Ｃ２２の下端近傍部から上端にわたって形成された鉛直部Ｃｓ２１と、この鉛直部Ｃｓ２１に連続させて前記天板Ｃ２１の左端部に形成された水平部Ｃｓ２２とを備えたものである。前記左向きスリットＣｓ２には、前記大径のホワイトボードＣ１１の右端部を嵌合させることができるようになっている。すなわち、この左向きスリットＣｓ２により前記大径のホワイトボードＣ１１を起立状態で保持しうるようにしてある。前記左側の脚体Ｃ２２の内面及び前記天板Ｃ２１の下面における前記左向きスリットＣｓ２の両側には補強用のフレームＣｆ２が設けられている。
【００２９】
前記レールＣ３は、前述した第１のデスクシステムＳ１におけるレールＡ３と同様に、前記オフィス空間の床面Ｆに設けられたもので、前記レールＡ３と同一の構成をなしており、このレールＣ３に沿って前記大径のホワイトボードＣ１１を転動させるようになっている。前記デスクＣ２は、前記左向きスリットＣｓ２をこのレールＣ３に対応させて床面上に設置されている。
【００３０】
第４のホワイトボードシステムＳ４は、図３１及び図３２に示すように、大径及び小径のホワイトボードＤ１１、Ｄ１２と、前記ホワイトボードＤ１１、Ｄ１２を起立姿勢に保持する家具であるデスクＤ２とを備えている。
【００３１】
前記大径及び小径のホワイトボードＤ１１、Ｄ１２は、いずれも前述した第１のホワイトボードシステムＳ１におけるホワイトボードＡ１１、Ａ１２に準じた構成をなすものである。すなわち、正面に筆記面Ｄ１１ａ、Ｄ１２ａを有し、背面に化粧面Ｄ１１ｂ、Ｄ１２ｂを有しているとともに、その外周面Ｄ１１ｃ、Ｄ１２ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝が形成されている。
【００３２】
前記デスクＤ２は、図３３〜図３８に示すように、前端縁を使用端としているとともに、後端縁を反使用端としており、前記使用端に椅子Ｃｈを対面配置して用いられるもので、以下の当該デスクに関する説明では、前記使用端に着座した着座者の左右を、換言すれば図３３における左右当該デスクＤ２の左右と称する。このデスクＤ２は、平面視四角形状の天板Ｄ２１と、この天板Ｄ２１の左右両側端縁を支持する壁状の脚体Ｄ２２と、これら脚体Ｄ２２の内側面間における前後方向中央よりも反使用端寄りに位置させて前記天板Ｄ２１の下面に設けられた幕板Ｄ２３とを具備してなるものである。また、このデスクには、左向きスリットＤｓ１及び右向きスリットＤｓ２が設けられている。前記左向きスリットＤｓ１は、前記幕板Ｄ２３よりも前記使用端側の部位に設けられたもので、上下方向に伸びる形態をなしている。この左向きスリットＤｓ１の開口幅も、前記一定値に設定されている。この左向きスリットＤｓ１の下端は床面Ｆに向かって開口しており、上端は前記脚体Ｄ２２の上端近傍に達している。前記左向きスリットＤｓ１には、前記小径のホワイトボードＤ１２の右端部を嵌合させることができるようになっている。すなわち、この左向きスリットＤｓ１により前記小径のホワイトボードＤ１２を起立状態で保持しうるようにしてある。前記左側の脚体Ｄ２２の内面における前記左向きスリットＤｓ１の両側には補強用のフレームＤｆ１が設けられている。前記右向きスリットＤｓ２は、前記幕板Ｄ２３よりも前記反使用端側の部位に設けられている。この右向きスリットＤｓ２は、右側の前記脚体Ｄ２２及び前記天板Ｄ２１に貫設されたもので、上下方向に伸びる形態をなしている。この右向きスリットＤｓ２の開口幅も、前記一定値に設定されている。この右向きスリットＤｓ２は、前記右側の脚体Ｄ２２の下端近傍部から上端にわたって形成された鉛直部Ｄｓ２１と、この鉛直部Ｄｓ２１に連続させて前記天板Ｄ２１の右端部に形成された水平部Ｄｓ２２とを備えたものである。前記右向きスリットＤｓ２には、前記大径のホワイトボードＤ１１の左端部を嵌合させることができるようになっている。すなわち、この右向きスリットＤｓ２により前記大径のホワイトボードＤ１１を起立状態で保持しうるようにしてある。前記右側の脚体Ｄ２２の内面及び前記天板Ｄ２１の下面における前記右向きスリットＤｓ２の両側には補強用のフレームＤｆ２が設けられている。
【００３３】
第５のホワイトボードシステムＳ５は、図３９及び図４０に示すように、大径、中径及び小径のホワイトボードＥ１１、Ｅ１２、Ｅ１３と、前記ホワイトボードＥ１１、Ｅ１２、Ｅ１３を起立姿勢に保持する家具であるデスクＥ２とを備えている。
【００３４】
前記大径、中径及び小径のホワイトボードＥ１１、Ｅ１２、Ｅ１３は、いずれも前述した第１のホワイトボードシステムＳ１におけるホワイトボードＡ１１、Ａ１２に準じた構成をなすものである。すなわち、正面に筆記面Ｅ１１ａ、Ｅ１２ａ、Ｅ１３ａを有し、背面に化粧面Ｅ１１ｂ、Ｅ１２ｂ、Ｅ１３ｂを有しているとともに、その外周面Ｅ１１ｃ、Ｅ１２ｃ、Ｅ１３ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｅ１１ｘ、Ｅ１２ｘ、Ｅ１３ｘが形成されている。
【００３５】
前記デスクＥ２は、図４１〜図４６に示すように、前後両側縁を使用端とし、各使用端に椅子Ｃｈを対面配置して用いられるもので、以下の当該デスクＥ２に関する説明では、一方すなわちホワイトボードＥ１１、Ｅ１２、Ｅ１３の筆記面Ｅ１１ａ、Ｅ１２ａ、Ｅ１３ａが向く側の使用端に着座した着座者の左右を当該デスクＥ２の左右と称する。このデスクＥ２は、左右方向に伸びる平面視長方形状の天板Ｅ２１と、この天板Ｅ２１の左右両側端縁を支持する壁状の脚体Ｅ２２と、これら脚体Ｅ２２の内側面間に位置させて前記天板Ｅ２１の下面に設けられた幕板Ｅ２３とを具備してなるものである。このデスクＥ２は、前記幕板Ｅ２３により前後に隣接する第１及び第２の領域Ｅ２ａ、Ｅ２ｂに区画されており、第１の領域Ｅ２ａに第１の上向きスリットＥｓ１及び左向きスリットＥｓ２が設けられているとともに、第２の領域Ｅ２ｂに第２の上向きスリットＥｓ３及び右向きスリットＥｓ４が形成されている。前記第１の上向きスリットＥｓ１は、前記天板Ｅ２１に設けられたもので、左右方向に伸びる状態で天板Ｅ２１を上下に貫通している。この第１の上向きスリットＥｓ１の開口幅は前記一定値に設定されたもので、前記第１の上向きスリットＥｓ１に前記中径のホワイトボードＥ１２の下端部を嵌合させることができるようになっている。すなわち、前記第１の上向きスリットＥｓ１により前記中径のホワイトボードＥ１２を起立状態で保持しうるようにしてある。天板Ｅ２１の下面における前記第１の上向きスリットＥｓ１の両側には補強用のフレームＥｆ１が設けられている。前記左向きスリットＥｓ２は、左側の前記脚体Ｅ２２及び前記天板Ｅ２１に貫設されたもので、上下方向に伸びる形態をなしている。この左向きスリットＥｓ２の開口幅も、前記一定値に設定されている。この左向きスリットＥｓ２は、前記左側の脚体Ｅ２２の下端から上端にわたって形成された鉛直部Ｅｓ２１と、この鉛直部Ｅｓ２１に連続させて前記天板Ｅ２１の左端部に形成された水平部Ｅｓ２２とを備えたものである。前記左向きスリットＥｓ２には、前記大径のホワイトボードＥ１１の右端部を嵌合させることができるようになっている。すなわち、この左向きスリットＥｓ２により前記大径のホワイトボードＥ１１を起立状態で保持しうるようにしてある。前記左側の脚体Ｅ２２の内面及び前記天板Ｅ２１の下面における前記左向きスリットＥｓ２の両側には補強用のフレームＥｆ２が設けられている。前記第２の上向きスリットＥｓ３も、前記天板Ｅ２１に設けられたもので、左右方向に伸びる状態で天板Ｅ２１を上下に貫通している。第２の上向きスリットＥｓ３の左右方向位置は、前記第１の上向きスリットＥｓ１の左右方向位置と異ならせている。前記第２の上向きスリットＥｓ３の開口幅も前記一定値に設定されており、この第２の上向きスリットＥｓ３に前記小径のホワイトボードＥ１３の下端部を嵌合させることができるようになっている。すなわち、この第２の上向きスリットＥｓ３により前記小径のホワイトボードＥ１３を起立状態で保持しうるようにしてある。天板Ｅ２１の下面における前記第２の上向きスリットＥｓ３の両側には補強用のフレームＥｆ３が設けられている。前記右向きスリットＥｓ４は、右側の前記脚体Ｅ２２に貫設されたもので、上下方向に伸びる形態をなしている。この右向きスリットＥｓ４の開口幅も、前記一定値に設定されている。この右向きスリットＥｓ４の上下方向寸法は、自転車Ｂｃの前車輪を嵌入させて当該自転車Ｂｃを自立させておくことが可能な寸法に設定されている。前記右側の脚体Ｅ２２の内面における前記右向きスリットＥｓ４の両側には補強用のフレームＥｆ４が設けられている。
【００３６】
第６のホワイトボードシステムＳ６は、図４７及び図４８に示すように、ホワイトボードＦ１と、前記ホワイトボードＦ１を起立姿勢に保持する家具であるハイデスクＦ２と、このハイデスクＦ２に前記ホワイトボードＦ１を案内し嵌合させるためのレールＦ３とを備えている。
【００３７】
前記ホワイトボードＦ１は、前述した第１のホワイトボードシステムＳ１におけるホワイトボードＡ１１、Ａ１２に準じた構成をなすものである。すなわち、正面に筆記面Ｆ１ａを有し、背面に化粧面Ｆ１ｂを有しているとともに、その外周面Ｆ１ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｆ１ｘが形成されている。
【００３８】
前記ハイデスクＦ２は、図４９〜図５４に示すように、前後両側縁を使用端とし、各使用端に向かって使用者が起立した状態で用いられるもので、以下の当該ハイデスクＦ２に関する説明では、一方すなわちホワイトボードＦ１の筆記面Ｆ１ａが向く側の使用端に向かって起立した使用者の左右を当該ハイデスクＦ２の左右と称する。このハイデスクＦ２は、平面視四角形状の天板Ｆ２１と、この天板Ｆ２１の左右両側端縁を支持する壁状の脚体Ｆ２２と、これら脚体Ｆ２２の内側面間に位置させて前記天板Ｆ２１の下面に設けられた幕板Ｆ２３とを具備してなるものである。このハイデスクＦ２は、前記幕板Ｆ２３により前後に隣接する第１及び第２の領域Ｆ２ａ、Ｆ２ｂに区画されており、第１の領域Ｆ２ａに第１の左向きスリットＦｓ１が設けられているとともに、第２の領域Ｆ２ｂに第２の左向きスリットＦｓ２が形成されている。前記第１の左向きスリットＦｓ１は、左側の前記脚体Ｆ２２に貫設されたもので、上下方向に伸びる形態をなしている。この第１の左向きスリットＦｓ１の開口幅も、前記一定値に設定されている。第１の左向きスリットＦｓ１の上下方向寸法は、自転車Ｂｃの前車輪を嵌入させて当該自転車Ｂｃを自立させておくことが可能な寸法に設定されている。前記左側の脚体の内面における前記第１の左向きスリットＦｓ１の両側には補強用のフレームＦｆ１が設けられている。前記第２の左向きスリットＦｓ２は、左側の脚体Ｆ２２の下端近傍部から上端にわたって形成された第１の鉛直部Ｆｓ２１と、前記第１の鉛直部Ｆｓ２１に連続させて前記天板Ｆ２１に形成された左右方向に延びる水平部Ｆｓ２２と、この水平部Ｆｓ２２に連続させて右側の壁体Ｆ２２の上部に形成された第２の鉛直部Ｆｓ２３とを備えたものである。このスリットＦｓ２の開口幅は前記ホワイトボードＦ１の厚み寸法に対応させた一定値に設定されたもので、このスリットＦｓ２に前記ホワイトボードＦ１の右端部を嵌合させ、このホワイトボードＦ１を起立状態で保持しうるようにしてある。前記脚体Ｆ２２の内面及び前記天板Ｆ２１の下面における前記第２の左向きスリットＦｓ２の両側には補強用のフレームＦｆ２が設けられている
前記レールＦ３は、前述した第１のデスクシステムＳ１におけるレールＡ３と同様に、前記オフィス空間の床面Ｆに設けられたもので、前記レールＡ３と同一の構成をなしており、このレールＦ３に沿って前記ホワイトボードＦ１を転動させるようになっている。前記ハイデスクＦ２は、前記第２の左向きスリットＦｓ２をこのレールＦ３に対応させて床面Ｆ上に設置されている。
【００３９】
第７のホワイトボードシステムＳ７は、図５５及び図５６に示すように、ホワイトボードＧ１と、前記ホワイトボードＧ１を起立姿勢に保持する家具であるハイデスクＧ２と、このデスクＧ２に前記ホワイトボードＧ１を案内し嵌合させるためのレールＧ３とを備えている。
【００４０】
前記ホワイトボードＧ１は、前述した第１のホワイトボードシステムＳ１におけるホワイトボードＡ１１、Ａ１２に準じた構成をなすものである。すなわち、正面に筆記面Ｇ１ａを有し、背面に化粧面Ｇ１ｂを有しているとともに、その外周面Ｇ１ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｇ１ｘが形成されている。
【００４１】
前記ハイデスクＧ２は、図５７〜図６１に示すように、前後両側縁を使用端とし、各使用端に向かって使用者が起立した状態で用いられるもので、以下の当該ハイデスクＧ２に関する説明では、一方すなわちホワイトボードＧ１の筆記面Ｇ１ａが向く側の使用端に向かって起立した使用者の左右を当該ハイデスクＧ２の左右と称する。このハイデスクＧ２は、平面視四角形状の天板Ｇ２１と、この天板Ｇ２１の左右両側端縁を支持する壁状の脚体Ｇ２２と、これら脚体Ｇ２２の内側面間に位置させて前記天板の下面に設けられた幕板Ｇ２３とを具備してなるものである。このハイデスクは、前記幕板Ｇ２３により前後に隣接する第１及び第２の領域Ｇ２ａ、Ｇ２ｂに区画されており、第１の領域Ｇ２ａに左向きスリットＧｓ１が設けられているとともに、第２の領域Ｇ２ｂに右向きスリットＧｓ２が形成されている。前記左向きスリットＧｓ１は、左側の前記脚体Ｇ２２に貫設されたもので、上下方向に伸びる形態をなしている。この左向きスリットＧｓ１の開口幅も、前記一定値に設定されている。前記左向きスリットＧｓ１の上下方向寸法は、自転車Ｂｃの前車輪を嵌入させて当該自転車Ｂｃを自立させておくことが可能な寸法に設定されている。前記左側の脚体Ｇ２２の内面における前記左向きスリットＧｓ１の両側には補強用のフレームＧｆ１が設けられている。前記右向きスリットＧｓ２は、右側の前記脚体Ｇ２２及び前記天板Ｇ２１に貫設されたもので、上下方向に伸びる形態をなしている。この右向きスリットＧｓ２の開口幅も、前記一定値に設定されている。この右向きスリットＧｓ２は、前記右側の脚体Ｇ２２の下端から上端にわたって形成された鉛直部Ｇｓ２１と、この鉛直部Ｇｓ２１に連続させて前記天板Ｇ２１の右端部に形成された水平部Ｇｓ２２とを備えたものである。前記右向きスリットＧｓ２には、前記ホワイトボードＧ１の右端部を嵌合させることができるようになっている。すなわち、この右向きスリットＧｓ２により前記ホワイトボードＧ１を起立状態で保持しうるようにしてある。前記右側の脚体Ｇ２２の内面及び前記天板Ｇ２１の下面における前記右向きスリットＧｓ２の両側には補強用のフレームＧｆ２が設けられている。
【００４２】
前記レールＧ３は、前述した第１のデスクシステムＳ１におけるレールＡ３と同様に、前記オフィス空間の床面Ｆに設けられたもので、前記レールＡ３と同一の構成をなしており、このレールＧ３に沿って前記ホワイトボードＧ１を転動させるようになっている。前記ハイデスクＧ２は、前記右向きスリットＧｓ２をこのレールＧ３に対応させて床面上に設置されている。
【００４３】
第８のホワイトボードシステムＳ８は、図６２に示すように、第１〜第４のホワイトボードＨ１１〜Ｈ１４と、前記ホワイトボードＨ１１〜Ｈ１４を起立姿勢に保持する家具である第１、第２及び第３のベンチＨ２１、Ｈ２２、Ｈ２３とを備えている。
【００４４】
前記第１〜第４のホワイトボードＨ１１〜Ｈ１４は、いずれも前述した第１のホワイトボードシステムＳ１におけるホワイトボードＡ１１、Ａ１２に準じた構成をなすものである。すなわち、正面に筆記面Ｈ１１ａ〜Ｈ１４ａをそれぞれ有し、背面に化粧面Ｈ１１ｂ〜Ｈ１４ｂをそれぞれ有しているとともに、その外周面Ｈ１１ｃ〜Ｈ１４ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｈ１１ｘ〜Ｈ１４ｘがそれぞれ形成されている。なお、図６２〜図７１では、前記第１〜第４のホワイトボードＨ１１〜Ｈ１４の化粧面Ｈ１１ｂ〜Ｈ１４ｂの図示は省略している。
【００４５】
前記第１、第２及び第３のベンチＨ２１、Ｈ２２、Ｈ２３は、図６３〜図７１に示すように、いずれも左右方向に伸びる細長い形状をなし、前後両側に着座可能なものである。図６３〜図６５は、それぞれ第１のベンチＨ２１の斜視図、正面図及び平面図である。図６６〜図６８は、それぞれ第２のベンチＨ２２の斜視図、正面図及び平面図である。図６９〜図７１は、それぞれ第３のベンチＨ２３の斜視図、正面図及び平面図である。以下の当該ベンチＨ２１、Ｈ２２、Ｈ２３に関する説明では、前側の端縁に着座した着座者の左右、換言すれば図６４、図６７及び図７０における左右を当該ベンチの左右と称する。これら第１、第２及び第３のベンチＨ２１、Ｈ２２、Ｈ２３は、いずれも、直方体状をなすベンチ本体Ｈ２１１、Ｈ２２１、Ｈ２３１と、このベンチ本体Ｈ２１１、Ｈ２２１、Ｈ２３１を下方から支持する支持体Ｈ２１２、Ｈ２２２、Ｈ２３２と、前記ベンチ本体Ｈ２１１、Ｈ２２１、Ｈ２３１の両側面に添接する側板Ｈ２１３、Ｈ２２３、Ｈ２３３とを備えている。第１のベンチＨ２１には、前向きスリットＨｓ１が設けられている。この前向きスリットＨｓ１は、前記ベンチ本体Ｈ２１１及び前記支持体Ｈ２１２に貫設されたもので、上下方向に伸びる形態をなしている。この前向きスリットＨｓ１の開口幅も、前記一定値に設定されている。前記前向きスリットＨｓ１には、前記ホワイトボードＨ１１の一部を嵌合させることができるようになっている。すなわち、この前向きスリットＨｓ１により前記ホワイトボードＨ１１を起立状態で保持しうるようにしてある。第２のベンチＨ２２には、後向きスリットＨｓ２及び前向きスリットＨｓ３が設けられている。前記後向きスリットＨｓ２は、前記ベンチ本体Ｈ２２１及び前記支持体Ｈ２２２に貫設されたもので、上下方向に伸びる形態をなしている。この後向きスリットＨｓ２の開口幅も、前記一定値に設定されている。前記後向きスリットＨｓ２には、前記ホワイトボードＨ１２の一部を嵌合させることができるようになっている。すなわち、この後向きスリットＨｓ２により前記ホワイトボードＨ１２を起立状態で保持しうるようにしてある。前記前向きスリットＨｓ３も、前記ベンチ本体Ｈ２２１及び前記支持体Ｈ２２２に貫設されたもので、上下方向に伸びる形態をなしている。この前向きスリットＨｓ３の左右方向位置は、前記後向きスリットＨｓ２の左右方向位置と異ならせてある。この前向きスリットＨｓ３の開口幅も、前記一定値に設定されている。前記前向きスリットＨｓ３には、前記ホワイトボードＨ１３の一部を嵌合させることができるようになっている。すなわち、この前向きスリットＨｓ３により前記ホワイトボードＨ１３を起立状態で保持しうるようにしてある。第３のベンチＨ２３には、後向きスリットＨｓ４が設けられている。この後向きスリットＨｓ４は、前記ベンチ本体Ｈ２３１及び前記支持体Ｈ２３２に貫設されたもので、上下方向に伸びる形態をなしている。この後向きスリットＨｓ４の開口幅も、前記一定値に設定されている。前記後向きスリットＨｓ４には、前記ホワイトボードＨ１４の一部を嵌合させることができるようになっている。すなわち、この後向きスリットＨｓ４により前記ホワイトボードＨ１４を起立状態で保持しうるようにしてある。
【００４６】
第９のホワイトボードシステムＳ９は、図７２に示すように、ホワイトボードＪ１と、前記ホワイトボードＪ１を起立姿勢に保持する家具であるベンチＪ２とを備えている。
【００４７】
前記ホワイトボードＪ１は、前述した第１のホワイトボードシステムＳ１におけるホワイトボードＡ１１、Ａ１２に準じた構成をなすものである。すなわち、正面に筆記面Ｊａａを有し、背面に化粧面Ｊ１ｂを有しているとともに、その外周面Ｊ１ｃには前記第１のホワイトボードシステムＳ１におけるホワイトボードＡ１１、Ａ１２の環状溝Ａ１１ｘ、Ａ１２ｘと同一の幅寸法及び深さ寸法を備えた環状溝Ｊ１ｘが形成されている。なお、図７２では、化粧面Ｊ１ｂの図示は省略している。
【００４８】
前記ベンチＪ２は、略円筒状をなしその外周部に着座可能なものである。このベンチＪ２は、スリットＪｓ１を有しているとともに、円筒状をなすベンチ本体Ｊ２１と、このベンチ本体Ｊ２１を下方から支持する支持体Ｊ２２とを備えている。前記スリットＪｓ１は、前記ベンチ本体Ｊ２１及び前記支持体Ｊ２２に貫設されたもので、上下方向に伸びる形態をなしている。このスリットＪｓ１の開口幅も、前記一定値に設定されている。前記スリットＪｓ１には、前記ホワイトボードＪ１の一部を嵌合させることができるようになっている。すなわち、このスリットＪｓ１により前記ホワイトボードＪ１を起立状態で保持しうるようにしてある。
【００４９】
ここで、前記第１、第３及び第７のホワイトボードシステムＳ１、Ｓ３、Ｓ７におけるレールＡ３、Ｃ３、Ｇ３は、図１に示すように、実際には前記オフィス空間ＯＳの床面Ｆに配設した同一のレールのそれぞれ異なる部位である。すなわち、前記第１、第３及び第７のホワイトボードシステムＳ１、Ｓ３、Ｓ７は、前記オフィス空間ＯＳの床面Ｆに配設した同一のレールを共用している。
【００５０】
なお、ＢＳは、複数のホワイトボードを適宜取り出し可能に収納しておくためのボード収納庫である。ＦＳは、複数のベンチ等の家具を適宜取り出し可能に収納しておくための家具収納庫である。
【００５１】
このような構成のものであれば、ホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１を種々の箇所、すなわち、着座して使用するデスクＡ２、Ｃ２、Ｅ２の天板上、前記デスクＡ２、Ｂ２、Ｃ２、Ｄ２、Ｅ２のサイド、起立した姿勢で使用するハイデスクＦ２、Ｇ２、或いは、ベンチＨ２１〜Ｈ２３、Ｊ２等に適宜起立姿勢で保持させることができ、それらの家具とともに便利に使用することができる。
【００５２】
しかして、かかるホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１を用いれば、ホワイトボードを使用姿勢で保持したり移動させたりするための専用の自走可能なフレーム等が不要になる。すなわち、前記ホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１は、円形状をなしているため、床Ｆ上をころがしながら移動させるようなことも可能であり、また、レールＡ３、Ｂ３、Ｃ３、Ｆ３、Ｇ３等に沿って転動させればさらに小さな力で移動させることが可能になる。また、前記ホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１は、少し持ち上げるだけで、その場で回転させ姿勢を変えることもできる。そのため、前記ホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１の筆記面Ａ１１ａ、Ａ１２ａ、Ｂ１ａ、Ｃ１１ａ、Ｃ１２ａ、Ｄ１１ａ、Ｄ１２ａ、Ｅ１１ａ〜Ｅ１３ａ、Ｆ１ａ、Ｇ１ａ、Ｈ１１ａ〜Ｈ１４ａ、Ｊ１ａに記述された文字や図形などを異なった姿勢で参照することもでき、使用者に知的な刺激を与えて議論や打ち合わせをより活性化することができる。
【００５３】
加えて、前記ホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１の正面が筆記面Ａ１１ａ、Ａ１２ａ、Ｂ１ａ、Ｃ１１ａ、Ｃ１２ａ、Ｄ１１ａ、Ｄ１２ａ、Ｅ１１ａ〜Ｅ１３ａ、Ｆ１ａ、Ｇ１ａ、Ｈ１１ａ〜Ｈ１４ａ、Ｊ１ａを有し、背面に化粧面Ａ１１ｂ、Ａ１２ｂ、Ｂ１ｂ、Ｃ１１ｂ、Ｃ１２ｂ、Ｄ１１ｂ、Ｄ１２ｂ、Ｅ１１ｂ〜Ｅ１３ｂ、Ｆ１ｂ、Ｇ１ｂ、Ｈ１１ｂ〜Ｈ１４ｂ、Ｊ１ｂを有していることから、このようなホワイトボードＡ１１、Ａ１２、Ｂ１、Ｃ１１、Ｃ１２、Ｄ１１、Ｄ１２、Ｅ１１〜Ｅ１３、Ｆ１、Ｇ１、Ｈ１１〜Ｈ１４、Ｊ１を利用したホワイトボードシステムＳ１〜Ｓ９を床面Ｆ上に配したオフィス空間ＯＳの美観の向上を図ることもできる。
【００５４】
さらに、少なくとも第１のホワイトボードシステムＳ１において、ホワイトボードＡ１１の外周面Ａ１１ｃにおける厚み方向中間に円周方向に連続する環状溝Ａ１１ｘを設けているとともに、前記レールＡ３が、前記ホワイトボードＡ１１の一部を挿入可能な凹溝Ａ３１と、この凹溝Ａ３１の底面における溝幅方向中間に設けられた突条Ａ３２とを備え、この突条Ａ３２に前記ホワイトボードＡ１１の環状溝Ａ１１ｘを転動可能に係り合わせた状態で、前記ホワイトボードＡ１１の表裏両面Ａ１１ａ、Ａ１１ｂと前記凹溝Ａ３１の内側面Ａ３１ａとの間に隙間ＳＰが形成されるように構成されているとともに、前記第２、第３、第６及び第７のホワイトボードシステムＳ２、Ｓ３、Ｓ６、Ｓ７におけるホワイトボードＢ１、Ｃ１１、Ｆ１、Ｇ１及びレールＢ３、Ｃ３、Ｆ３、Ｇ３も上述した第１のホワイトボードシステムＳ１におけるものに準じた構成を有しているので、これらのホワイトボードシステムＳ１、Ｓ２、Ｓ３、Ｓ６、Ｓ７において、レールＡ３、Ｂ３、Ｃ３、Ｆ３、Ｇ３に沿ってホワイトボードＡ１１、Ｂ１、Ｃ１１、Ｆ１、Ｇ１を転動させ該ホワイトボードＡ１１、Ｂ１、Ｃ１１、Ｆ１、Ｇ１の移動方向を案内させることを容易に行うこともできる。
【００５５】
加えて、前記レールＡ３の突条Ａ３２に前記ホワイトボードＡ１１の環状溝Ａ１１ｘを転動可能に係り合わせた状態で、前記ホワイトボードＡ１１の表裏両面Ａ１１ａ、Ａ１１ｂと前記凹溝Ａ３１の内側面Ａ３１ａとの間に隙間ＳＰが形成されるように構成されていることにより、前記ホワイトボードＡ１１の表裏両面Ａ１１ａ、Ａ１１ｂが凹溝Ａ３１の内側面Ａ３１ａに接触することがなく、このことにより前記ホワイトボードＡ１１の表裏両面Ａ１１ａ、Ａ１１ｂを傷めることがない。前記第２、第３、第６及び第７のホワイトボードシステムＳ２、Ｓ３、Ｓ６、Ｓ７においても、前記レールＢ３、Ｃ３、Ｆ３、Ｇ３が上述した第１のホワイトボードシステムＳ１のレールＡ３と同一の構成をなしていることから、同様の効果を得ることができる。
【００５６】
なお、本発明は以上に述べた実施形態に限らない。
【００５７】
例えば、上述した実施形態のホワイトボードは、正面に筆記面を有し、背面に化粧面を有しているが、ホワイトボードの両面が筆記面であってももちろんよい。
【００５８】
また、上述した実施形態のようにホワイトボードの外周面における厚み方向中間に円周方向に連続する環状溝を設ける態様に代えて、ホワイトボードの外周面の複数箇所にそれぞれ円周方向に連続する複数本の環状溝を設ける態様を採用してもよく、また、ホワイトボードの外周面における環状溝を省略する態様を採用してもよい。さらに、レールも床面上に設けられたものに限らず、天井等に設けられたものであってもよい。また、レールを用いずにホワイトボードシステムを構成してもよい。
【００５９】
加えて、上述した実施形態に係るもののようなホワイトボードと、このホワイトボードを下側から自転可能に支持する支持台とを具備したホワイトボードシステムを採用してもよい。このようなホワイトボードシステムによれば、利用者がホワイトボードを自転させることにより、筆記する領域を変更することを容易に行うことができる。
【００６０】
さらに、ホワイトボードの形状として、真円形状でなく、例えば若干楕円気味の円形状や、頂点の数が多い正多角形状といった真円形に近い形状を採用してもよく、その他転動可能な形状であればどのような形状を採用してもよい。
【００６１】
一方、家具も、以上説明したものに限らず、ホワイトボードを起立姿勢に保持できるものであれば種々のものを採用してもよい。
【００６２】
その他、本発明の趣旨を損ねない範囲で種々変形してよい。
【符号の説明】
【００６３】
Ｓ１〜Ｓ９…ホワイトボードシステム
Ａ１１、Ａ１２…ホワイトボード
Ａ１１ａ、Ａ１２ａ…筆記面
Ａ２…家具（デスク）
Ａ３…レール
Ｂ１…ホワイトボード
Ｂ１ａ…筆記面
Ｂ２…家具（デスク）
Ｂ３…レール
Ｃ１１、Ｃ１２…ホワイトボード
Ｃ１１ａ、Ｃ１２ａ…筆記面
Ｃ２…家具（デスク）
Ｃ３…レール
Ｄ１１、Ｄ１２…ホワイトボード
Ｄ１１ａ、Ｄ１２ａ…筆記面
Ｄ２…家具（デスク）
Ｅ１１、Ｅ１２、Ｅ１３…ホワイトボード
Ｅ１１ａ、Ｅ１２ａ、Ｅ１３ａ…筆記面
Ｅ２…家具（デスク）
Ｆ１…ホワイトボード
Ｆ１ａ…筆記面
Ｆ２…家具（ハイデスク）
Ｆ３…レール
Ｇ１…ホワイトボード
Ｇ１ａ…筆記面
Ｇ２…家具（ハイデスク）
Ｇ３…レール
Ｈ１１〜Ｈ１４…ホワイトボード
Ｈ１１ａ〜Ｈ１４ａ…筆記面
Ｈ２１〜Ｈ２３…家具（ベンチ）
Ｊ１…ホワイトボード
Ｊ１ａ…筆記面
Ｊ２…家具（ベンチ）
【図１】
2018047576.tif 000003
【図２】
2018047576.tif 000004
【図３】
2018047576.tif 000005
【図４】
2018047576.tif 000006
【図５】
2018047576.tif 000007
【図６】
2018047576.tif 000008
【図７】
2018047576.tif 000009
【図８】
2018047576.tif 000010
【図９】
2018047576.tif 000011
【図１０】
2018047576.tif 000012
【図１１】
2018047576.tif 000013
【図１２】
2018047576.tif 000014
【図１３】
2018047576.tif 000015
【図１４】
2018047576.tif 000016
【図１５】
2018047576.tif 000017
【図１６】
2018047576.tif 000018
【図１７】
2018047576.tif 000019
【図１８】
2018047576.tif 000020
【図１９】
2018047576.tif 000021
【図２０】
2018047576.tif 000022
【図２１】
2018047576.tif 000023
【図２２】
2018047576.tif 000024
【図２３】
2018047576.tif 000025
【図２４】
2018047576.tif 000026
【図２５】
2018047576.tif 000027
【図２６】
2018047576.tif 000028
【図２７】
2018047576.tif 000029
【図２８】
2018047576.tif 000030
【図２９】
2018047576.tif 000031
【図３０】
2018047576.tif 000032
【図３１】
2018047576.tif 000033
【図３２】
2018047576.tif 000034
【図３３】
2018047576.tif 000035
【図３４】
2018047576.tif 000036
【図３５】
2018047576.tif 000037
【図３６】
2018047576.tif 000038
【図３７】
2018047576.tif 000039
【図３８】
2018047576.tif 000040
【図３９】
2018047576.tif 000041
【図４０】
2018047576.tif 000042
【図４１】
2018047576.tif 000043
【図４２】
2018047576.tif 000044
【図４３】
2018047576.tif 000045
【図４４】
2018047576.tif 000046
【図４５】
2018047576.tif 000047
【図４６】
2018047576.tif 000048
【図４７】
2018047576.tif 000049
【図４８】
2018047576.tif 000050
【図４９】
2018047576.tif 000051
【図５０】
2018047576.tif 000052
【図５１】
2018047576.tif 000053
【図５２】
2018047576.tif 000054
【図５３】
2018047576.tif 000055
【図５４】
2018047576.tif 000056
【図５５】
2018047576.tif 000057
【図５６】
2018047576.tif 000058
【図５７】
2018047576.tif 000059
【図５８】
2018047576.tif 000060
【図５９】
2018047576.tif 000061
【図６０】
2018047576.tif 000062
【図６１】
2018047576.tif 000063
【図６２】
2018047576.tif 000064
【図６３】
2018047576.tif 000065
【図６４】
2018047576.tif 000066
【図６５】
2018047576.tif 000067
【図６６】
2018047576.tif 000068
【図６７】
2018047576.tif 000069
【図６８】
2018047576.tif 000070
【図６９】
2018047576.tif 000071
【図７０】
2018047576.tif 000072
【図７１】
2018047576.tif 000073
【図７２】
2018047576.tif 000074